(57)【要約】【課題】ファイルシステムの書き込み手順を変更することにより、ファイルシステムの書き込み失敗を減らした光ディスク装置を提供することである。【解決手段】ボリュームストラクチャーとファイルストラクチャーとからなるファイルシステムにより管理される書き換え可能な光ディスクに書き込みする光ディスク装置において、ボリュームストラクチャーの書き込み中に何れかのセクタで書き込みに失敗した場合は、書き込みに失敗したセクタを飛ばして書き込みを続行し、ボリュームストラクチャーの最後まで書き込みが終わった後、ボリュームストラクチャーを書き直す構成とする。【選択図】図４
2007234140.tif 000002
【特許請求の範囲】
【請求項１】
ボリュームストラクチャーとファイルストラクチャーとからなるファイルシステムにより管理される書き換え可能な光ディスクに書き込みする光ディスク装置において、
ボリュームストラクチャーの書き込み中に何れかのセクタで書き込みに失敗した場合は、書き込みに失敗したセクタを飛ばして書き込みを続行し、ボリュームストラクチャーの最後まで書き込みが終わった後、ボリュームストラクチャーを書き直すことを特徴とする光ディスク装置。
【請求項２】
ファイルシステムにより管理される書き換え可能な光ディスクに書き込みする光ディスク装置において、
ファイルシステムの書き込み中に何れかのセクタで書き込みに失敗した場合は、書き込みに失敗したセクタを飛ばして書き込みを続行し、ファイルシステムの所定位置まで書き込みが終わった後、少なくとも書き込みに失敗したセクタへ再度書き込みを実行することを特徴とする光ディスク装置。
【請求項３】
前記ファイルシステムの所定位置がファイルシステムの最後であることを特徴とする請求項２記載の光ディスク装置。
【請求項４】
前記少なくとも書き込みに失敗したセクタへ再度書き込みを実行する際、ファイルシステム全体を書き直すことを特徴とする請求項３記載の光ディスク装置。
【請求項５】
前記ファイルシステムはボリュームストラクチャーとファイルストラクチャーとからなり、前記ファイルシステムの所定位置がボリュームストラクチャーの最後又はファイルストラクチャーの最後であり、書き込みに失敗したセクタが属するストラクチャーを書き直すことを特徴とする請求項２記載の光ディスク装置。
【発明の詳細な説明】
【技術分野】
【０００１】
本発明は、ファイルシステムにより管理される書き換え可能な光ディスクに書き込みする光ディスク装置に関する。
【背景技術】
【０００２】
近年、家庭でのテレビ放送の録画媒体や映画などの映像記録媒体としては、ビデオテープに代わりＤＶＤ等の光ディスクが用いられるようになっている。光ディスクは記録したデータファイルへのアクセスを容易にするため、データをファイル形式で記録している。この際、これらのデータファイルを管理するために、一般的にファイルシステムと呼ばれる管理方法を用いている。ＤＶＤではＵＤＦ（Universal Disc Format）と呼ばれるファイルシステムが広く用いられている。
【０００３】
そしてＤＶＤへの記録フォーマットは、ビデオレコーディングフォーマット（以下、ＶＲフォーマットと記す）とビデオフォーマットの２つが規定されている。ＶＲフォーマットは論理的な記録フォーマットとしてＵＤＦ２．０規格に基づくボリューム情報とファイルシステム情報により、記録されるユーザ情報が管理されるようになっており、実時間に沿って情報本体（VR_MOVIE.VROファイル）及び再生制御情報（VR_MANGR.IFOファイル）が生成され、それらが独立したファイルとして記録されるため、テレビ放送などの実時間に沿って記録するのに適した記録フォーマットである。この記録方式では、映像などの情報をユーザが記録したとき、そのユーザが記録した情報を管理するためのファイルストラクチャーが頻繁に書き換えられる。また、必要に応じてボリュームストラクチャーも書き換えられる。そのためボリュームストラクチャーとファイルストラクチャーを使って、記録した情報を再生することが可能である。
【０００４】
これに対して、ビデオフォーマットは論理的な記録フォーマットとしてＵＤＦブリッジが使用され、ファイナライズすると再生専用のＤＶＤと同じフォーマットになる記録フォーマットで、記録すべき情報の再生態様を制御するための再生制御情報（ＤＶＤの規格ではナビゲーション情報と呼ぶ）を情報本体（コンテンツ）との対応関係を考慮しつつ作成し、作成した再生制御情報とその再生制御情報に対応する情報本体とをまとめて、光ディスク上に記録しなければならない。そのため、この記録方式はテレビ放送などの実時間に沿った記録に適した記録フォーマットではない。
【０００５】
例えばＤＶＤ−ＲＷは、２つの記録フォーマットに対応し、書き換え可能な記録媒体のため、同一フォーマット上で、記録、消去を行うこともできるし、同一フォーマットに初期化、或いは別のフォーマットに初期化することも可能である。
【０００６】
一般的に相変化型の書き換え可能な光ディスクは、加熱して記録膜を溶融して記録するため、多数回の書き換えを行うと、膜中の欠陥が増加してエラーが発生しやすくなる。ＤＶＤ−ＲＷのＶＲフォーマットはファイルシステム情報（必要に応じてボリューム情報）が頻繁に書き換えられるため、繰り返し記録を行うと、ファイルシステム情報とボリューム情報の読み出しエラーが増大し、場合によっては全ての情報を読み出せなくなる。そのため、ＤＶＤ−ＲＷのボリューム情報に、そのための代替領域（Sparing Management Area）が確保されており、読み出したエラーが増大してきたら特定管理情報をSparing Management Areaに移動して使用していた。
【０００７】
また、ファイルシステムの書き込みに関して様々な技術が開示されている。例えば、特許文献１には、ディスクフォーマット時に論理フォーマットに対応するファイルシステムをディスクの所定箇所に記録すると共に、そのファイルシステムをディスク上に使用不可と認識される使用不可領域がないものとして記録するようにしているディスクフォーマット装置が開示されている。
【０００８】
また例えば、特許文献２には、フォーマット後に、ファイルシステムの書き込み命令がダミーデータエリア内であった場合には、ダミーデータに対してデータを上書きするデータ記録装置が開示されている。
【０００９】
また例えば、特許文献３には、ＯＳやファイルシステムが書き込み中にエラーを検出した場合でも、オーディオ・ビデオデータについては、不良セクタの有無に関係なくシーケンシャルに書き込みを続行するデータ処理装置が開示されている。
【特許文献１】特開２００２−７４８４６号公報
【特許文献２】特開２００１−２４３７１２号公報
【特許文献３】特開平１１−１６２１１９号公報
【発明の開示】
【発明が解決しようとする課題】
【００１０】
ところで、ファイルシステムの作成時に、セクタへの書き込みに失敗することがあり、これにはいくつかの要因が考えられる。例えば、光ディスクの書き込み面に傷や汚れが付いていることによる書き込み失敗が一般的であるが、中には、書き込み中に光ピックアップのレンズがズレて書き込みに失敗する例もある。このレンズのズレは光ピックアップが移動すると元に戻ることが多い。
【００１１】
ここで、書き換え可能な光ディスクを用いる場合、特許文献１〜３を含め従来の光ディスク装置では、書き込みに失敗したセクタがあると、その時点でそのセクタに対して連続して２、３回リトライして書き込もうとする仕様となっている。この仕様によると、レンズは止まっているのでレンズのズレによる書き込み失敗時には、レンズが元に戻る可能性は低い。従って、リトライしても書き込みに失敗する可能性が高い。
【００１２】
そこで本発明は、ファイルシステムの書き込み手順を変更することにより、ファイルシステムの書き込み失敗を減らした光ディスク装置を提供することを目的とする。
【課題を解決するための手段】
【００１３】
上記目的を達成するために本発明は、ファイルシステムにより管理される書き換え可能な光ディスクに書き込みする光ディスク装置において、
ファイルシステムの書き込み中に何れかのセクタで書き込みに失敗した場合は、書き込みに失敗したセクタを飛ばして書き込みを続行し、ファイルシステムの所定位置まで書き込みが終わった後、少なくとも書き込みに失敗したセクタへ再度書き込みを実行することを特徴とする。
【００１４】
この構成によると、従来のように書き込みに失敗したセクタに直後にリトライして書き込もうとするのではなく、レンズが移動した後に書き込みに失敗したセクタをリトライしている。
【００１５】
また本発明は、前記ファイルシステムの所定位置をファイルシステムの最後とすることにより、レンズの移動距離が長くなる。
【００１６】
また本発明は、前記少なくとも書き込みに失敗したセクタへ再度書き込みを実行する際、ファイルシステム全体を書き直すことにより、更にレンズの移動距離が長くなる。
【００１７】
また本発明は、前記ファイルシステムはボリュームストラクチャーとファイルストラクチャーとからなり、前記ファイルシステムの所定位置がボリュームストラクチャーの最後又はファイルストラクチャーの最後であり、書き込みに失敗したセクタが属するストラクチャーを書き直すことを特徴とする。
【００１８】
この構成によると、これによると、書き込みに失敗した後のリトライまでにレンズを動かしつつ、リトライ時にファイルシステム全体を書き直すよりも速くフォーマットできる。
【００１９】
上記の本発明を具体化すると、ボリュームストラクチャーとファイルストラクチャーとからなるファイルシステムにより管理される書き換え可能な光ディスクに書き込みする光ディスク装置において、
ボリュームストラクチャーの書き込み中に何れかのセクタで書き込みに失敗した場合は、書き込みに失敗したセクタを飛ばして書き込みを続行し、ボリュームストラクチャーの最後まで書き込みが終わった後、ボリュームストラクチャーを書き直す構成となる。
【発明の効果】
【００２０】
本発明によれば、書き込みに失敗した場合は、レンズが移動した後に書き込みに失敗したセクタをリトライしているので、レンズのズレによる書き込み失敗の場合は、リトライ時にはレンズが元に戻っている可能性が高く、リトライで書き込みに成功する可能性が高い。その結果、ファイルシステムの書き込み失敗を減らすことができる。
【発明を実施するための最良の形態】
【００２１】
図１は、光ディスク装置の構成及びその周辺機器を示すブロック図である。光ディスク装置１０には、テレビ等の表示装置１１やビデオデッキ等の外部装置１２が接続される。また光ディスク装置１０は、リモコン１３によって操作可能である。以下、光ディスクとしてＤＶＤを例に説明する。
【００２２】
光ディスク装置１０は、テレビ放送信号を受信するアンテナ１５と、アンテナ１５で受信したテレビ放送信号を復調、デジタル化するチューナ１６と、チューナ１６から受け取った画像音声データをＭＰＥＧ２等に準拠して圧縮符号化したり、ＤＶＤ記録再生部１９で再生された圧縮された画像データを伸長復号したりする画像音声圧縮伸長部１７と、画像音声圧縮伸長部１７から受け取った圧縮された画像音声データを記録したり、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、光ディスク装置１０の各部を制御する制御部２６とを備えている。
【００２３】
また、制御部２６は、挿入されているＤＶＤをフォーマットする制御も行う。そのフォーマットはＶＲフォーマット又はビデオフォーマットのどちらにも対応している。
【００２４】
上記の光ディスク装置１０において、ユーザによりＤＶＤへの録画が指示された場合の録画動作について説明する。アンテナ１５で受信されたテレビ放送信号はチューナ１６で復調、デジタル化され、画像音声データが画像音声圧縮伸長部１７に送信される。画像音声圧縮伸長部１７は画像音声データをＭＰＥＧ２等に準拠して圧縮符号化し、ＤＶＤ記録再生部１９に送信し、ＤＶＤに圧縮された画像音声データを記録する。
【００２５】
次に、フォーマットの概要について説明する。まずＶＲフォーマットで使用するファイルであるＵＤＦ２．０について簡単に説明する。ＵＤＦ２．０は、ボリュームレベルの管理情報とファイルシステムレベルの管理情報に分かれている。アドレスの指定方法は２種類あり、１つは、ボリュームレベルの管理情報の先頭を０とするロジカルセクタナンバー（ＬＳＮ）と、ボリュームレベルの管理情報を除いたパーティション内のアドレスを指定するロジカルブロックナンバー（ＬＢＮ）がある。
【００２６】
図２に、ＶＲフォーマットのデータ構造の例を示す。ボリュームストラクチャーはＬＳＮ＝０〜８５７５までに記述され、ファイルストラクチャーはＬＳＮ＝８５７６〜８７３０までに記述される。これらボリュームストラクチャーとファイルストラクチャーとを合わせてファイルシステムと呼ぶ。
【００２７】
一方、ビデオフォーマットにはファイナライズすると再生専用のＤＶＤと同じフォーマットになるＵＤＦブリッジが使用されている。図３にビデオフォーマットのデータ構造の例を示す。ボリュームストラクチャーはＬＳＮ＝０〜２５６までに記述され、ファイルストラクチャーはＬＳＮ＝２５７〜ｐ＋ｑ−１までに記述される。これらボリュームストラクチャーとファイルストラクチャーとを合わせてファイルシステムと呼ぶ。ビデオフォーマットのファイルシステムはユーザがファイナライズを指示したときに記録される。
【００２８】
次に、光ディスク装置１０でフォーマットする手順について説明する。一例としてＤＶＤ−ＲＷをＶＲフォーマットする場合について説明する。図４は、ＶＲフォーマットの手順を示すフローチャートである。ユーザによりＶＲフォーマットの実行指示があると、ステップＳ１０においてファイルシステムの書き込みを開始する。そしてステップＳ１１へ進んで、書き込み中に書き込みに失敗していないかを監視する。
【００２９】
ステップＳ１１において書き込みに失敗したことが検出された場合、ステップＳ１２へ進んで書き込みに失敗したセクタを飛ばして書き込みを続行し、ステップＳ１３へ進む。そしてステップＳ１３においてファイルシステムの所定位置まで書き込みが終わったか否かを判定する。ステップＳ１３で所定位置まで書き込まれていれば、ステップＳ１４へ進んで書き込み失敗を補うためにリトライする。ここで、リトライ時は少なくとも書き込みに失敗したセクタへ再度書き込みを実行すればよい。リトライの後、ステップＳ１５へ進んで書き込みを続ける。一方、ステップＳ１１において書き込みに失敗していない場合は、ステップＳ１５へ進んで書き込みを続ける。
【００３０】
ステップＳ１５からステップＳ１６へ進んでファイルシステムの最後まで書き込まれたか否かを判定し、最後まで書き込まれていればフォーマットを終了し、最後まで書き込まれていなければステップＳ１１に戻る。
【００３１】
なお、ステップＳ１４のリトライにおいても書き込みに失敗した場合は、何度かリトライするようにしてもよい。
【００３２】
上記のフローチャートにおいて、例えば、ステップＳ１３でいうファイルシステムの所定位置をファイルシステムの最後と設定することができる。また、ステップＳ１４では書き込みに失敗したセクタにだけ再度書き込むようにしてもよいし、ファイルシステム全体を書き直すようにしてもよい。
【００３３】
これにより、光ピックアップのレンズがズレて書き込みに失敗した場合は、レンズが移動した後に書き込みに失敗したセクタをリトライしているので、リトライ時にはレンズが元に戻っている可能性が高く、リトライで書き込みに成功する可能性が高い。その結果、ファイルシステムの書き込み失敗を減らすことができる。
【００３４】
また上記のフローチャートにおいて、例えば、ステップＳ１３でいうファイルシステムの所定位置をボリュームストラクチャーの最後又はファイルストラクチャーの最後と設定し、ステップＳ１４では書き込みに失敗したセクタが属するストラクチャー全体を書き直すようにしてもよい。
【００３５】
これによると、書き込みに失敗した後のリトライまでにレンズを動かしつつ、リトライ時にファイルシステム全体を書き直すよりも速くフォーマットできる。
【００３６】
なお、上記の実施形態では、ＤＶＤ−ＲＷをＶＲフォーマットする場合について説明したが、本発明は書き換え可能な光ディスクをフォーマットする場合であれば、光ディスクの種類やフォーマットの形式には特に限定はなく、例えば、ＤＶＤ−ＲＷをビデオフォーマットする場合にも適用できる。
【産業上の利用可能性】
【００３７】
本発明は、ＤＶＤ−ＲＷ、ＤＶＤ＋ＲＷ、ＤＶＤ−ＲＡＭ等の書き換え可能な光ディスクをフォーマットできる光ディスク装置に利用することができる。
【図面の簡単な説明】
【００３８】
【図１】光ディスク装置の構成及びその周辺機器を示すブロック図である。
【図２】ＶＲフォーマットのデータ構造の一例である。
【図３】ビデオフォーマットのデータ構造の一例である。
【図４】ＶＲフォーマットの手順を示すフローチャートである。
【符号の説明】
【００３９】
１０    光ディスク装置
【図１】
2007234140.tif 000003
【図２】
2007234140.tif 000004
【図３】
2007234140.tif 000005
【図４】
2007234140.tif 000006